(57)【要約】      （修正有）【課題】拭き取り機能、除菌作用や殺菌作用は得られると共に、ミラーやガラス表面の曇りを除去したり防止したりする防曇機能を有する包装ウェットティッシュを提供する。【解決手段】包装ウエットティッシュ１は、遮光性で密封性の収容体２と、この収容体２内に収容され且つ少なくとも水とエチルアルコールと界面活性剤とを含浸させると共にチタニア（ＴｉＯ2 ）の微粉末を担持させたウエットティッシュ４とを備えている。ウエットティッシュ４を製作する際には、例えば、チタニア（ＴｉＯ2 ）の微粉末を蒸留水又はエチルアルコールに分散させた光触媒液と、エチルアルコールと、蒸留水と、界面活性剤からなるティッシュ処理溶液を作り、このティッシュ処理溶液をティッシュペーパーに噴霧することでウエットティッシュ４を製作する。【選択図】図１
0003120352.tif 000002
【実用新案登録請求の範囲】
【請求項１】
包装ウエットティッシュにおいて、
遮光性で密封性の収容体と、
この収容体内に収容され且つ少なくとも水とアルコールを含浸させると共にチタニア（ＴｉＯ2 ）の微粉末を担持させたウエットティッシュと、
を備えたことを特徴とする包装ウエットティッシュ。
【請求項２】
前記ウエットティッシュには、さらに生体に無害の界面活性剤を含浸させたことを特徴とする請求項１に記載の包装ウエットティッシュ。
【考案の詳細な説明】
【技術分野】
【０００１】
本考案は、包装ウエットティッシュに関し、遮光性で密封性の収容体に水とアルコールを含浸させ且つチタニアの微粉末を担持させた複数枚のウエットティッシュを収容したものに関する。
【背景技術】
【０００２】
従来、種々のウエットティッシュが市販され実用に供されている。特許文献１に記載のウエットティッシュにおいては、コラーゲン等蛋白質材料をキトサンと組み合わせた液で不織布材料を処理し、その不織布材料を合成樹脂製の円筒状の密封状の容器に多重渦巻き状に収容し、その容器の上面壁の中央部に形成した小さな穴から引き出し、所定長さずつミシン目線の個所で分断して使用するようになっている。
【０００３】
特許文献２に記載の包装ウエットティッシュペーパーにおいては、相互に部分的に重ね合せた多数のウエットティッシュペーパーに液体を含浸させ、それらを液体不透過性のほぼ直方体形状の包装袋に収容し、包装袋の上面にスリット状の取出口を形成してある。
【０００４】
特許文献３に記載のウエットティッシュにおいては、合成樹脂製の小形の矩形袋内に１枚のウエットティッシュを収容し、そのウエットティッシュに微酸性電解水を含浸させて、除菌効果のあるウエットティッシュとしている。
【０００５】
特許文献４に記載の親水性繊維及びその加工品においては、繊維の表面層にチタニア等の光半導体を含ませ、紫外線等の励起光によりチタニアの光触媒機能を発揮させて親水性表面とする。
【特許文献１】実用新案登録第３００９８５６号公報
【特許文献２】実開平５−８１０８３号公報
【特許文献３】実用新案登録第３１０２６２９号公報
【特許文献４】特開平９−７８４６２号公報
【考案の開示】
【考案が解決しようとする課題】
【０００６】
従来のウエットティッシュは、生体を清潔に拭き取る清拭機能、除菌機能（又は殺菌機能）などを主眼としたものであったので、それらの機能は達成可能であるものの、曇ったメガネやカメラ等のレンズを拭き取って曇りを除去するとか、自動車のバックミラーや窓ガラス、家庭の種々のミラーや窓ガラスなどに生じた曇りを除去する防曇機能を奏するものではなかった。
【０００７】
本考案の目的は、上記の従来のウエットティッシュと同様の諸機能を達成可能であり、かつチタニアの光触媒作用により防曇機能を発揮できる包装ウエットティッシュを提供することである。
【課題を解決するための手段】
【０００８】
請求項１の包装ウエットティッシュは、包装ウエットティッシュにおいて、遮光性で密封性の収容体と、この収容体内に収容され且つ少なくともアルコールを含浸させると共にチタニア（ＴｉＯ2 ）の微粉末を担持させたウエットティッシュとを備えたことを特徴とするものである。尚、前記アルコールとしてはエチルアルコールが好適である。
【０００９】
前記収容体は、合成樹脂フィルム等からなる袋状のものでもよく、合成樹脂製の容器状のものでもよい。この包装ウエットティッシュでは、水とアルコールが含浸されているウエットティッシュを収容体から取り出して太陽光や蛍光灯などに含まれる紫外線が照射されると、チタニアの光触媒作用により殺菌作用や除菌作用が発揮される。また、光触媒の親水作用による防曇機能が発揮されるため、ウエットティッシュでミラーやレンズや窓ガラスを拭き取ることで防曇でき、それらの表面に微粉末状のチタニアが残存するため、防曇機能が１０〜１５日は持続する。また、ウエットティッシュにアルコールが含浸されているため、アルコールによる消毒作用も発揮される。
このウエットティッシュの用途は、上記の例に限定されるものではなく、種々の用途に適用することができる。
【００１０】
請求項２の包装ウエットティッシュは、請求項１の考案において、前記ウエットティッシュには、さらに生体に無害の界面活性剤を含浸させたことを特徴とするものである。
ウエットティッシュには生体に無害の界面活性剤が含浸されているため、手や顔、ミラーやガラスの表面を清潔に拭き取る清拭機能も得られる。
【考案の効果】
【００１１】
請求項１の考案によれば、微粉末の形でウエットティッシュに担持させたチタニアの光触媒作用により殺菌作用や除菌作用が得られるうえ、親水作用による防曇機能が得られるため、ウエットティッシュでミラーやレンズや窓ガラスを拭き取ることで防曇でき、それらの表面に微粉末状のチタニアが残存するため、防曇機能が１０〜１５日は持続する。しかも、ウエットティッシュにアルコールが含浸されているため、アルコールによる消毒作用も得られ、アルコールの蒸発による清涼感、アルコール特有の香りも発揮される。
尚、このウエットティッシュは上記以外の種々の用途に適用可能である。
【００１２】
請求項２の考案によれば、ウエットティッシュには、生体に無害の界面活性剤を含浸させてあるため、手や顔、ミラーやガラスの表面を清潔に拭き取る清拭機能も得られる。
【考案を実施するための最良の形態】
【００１３】
本考案の包装ウエットティッシュは、遮光性で密封性の収容体と、この収容体内に収容され且つ少なくとも水とアルコールを含浸させると共にチタニア（ＴｉＯ2 ）の微粉末を担持させたウエットティッシュとを備えたことを特徴とするものである。
【実施例】
【００１４】
以下、本考案の実施例について説明する。
図１、図２に示すように、包装ウエットティッシュ１は、遮光性で密封性の収容体２と、この収容体２内に収容され且つ水とエチルアルコールと生体に無害の界面活性剤を含浸させると共にチタニア（ＴｉＯ2 ）の微粉末を担持させた複数枚のウエットティッシュ３とを備えたものである。
【００１５】
前記の収容体２は、アルミ箔の内外両面を合成樹脂フィルムでラミネートしたラミネートフィルムでもって適当なサイズの矩形袋状に構成され、両端の融着部２ａと中央部の融着部は気密状に密封されており、収容体２は気密状に密封されている。
【００１６】
収容体２の内部には、前記のように、水とエチルアルコールと生体に無害の界面活性剤を含浸させると共にチタニア（ＴｉＯ2 ）の微粉末を担持させた複数枚のウエットティッシュ４が１枚ずつ折り畳んだ状態にして収容されている。
【００１７】
上記のウエットティッシュ４を製作する際には、例えば、少なくともチタニア（ＴｉＯ2 ）の微粉末を蒸留水又はエチルアルコールに分散させた光触媒液（０．６２vol ％）と、エチルアルコール（７４．５３vol ％）と、蒸留水（２１．７４vol ％）と、界面活性剤（３．１１vol ％）からなるティッシュ処理溶液を作り、このティッシュ処理溶液を乾燥状態のティッシュペーパーに噴霧することでウエットティッシュ４を製作し、このウエットティッシュ４を折り畳んで収容体２に複数枚収容する。尚、折り畳んで積層させたティッシュペーパーに前記のティッシュ処理溶液を噴霧して製作してもよい。
【００１８】
前記チタニア（ＴｉＯ2 ）の微粉末は、５〜１０ｎｍ程度の微細な粉末であり、界面活性剤としては、例えば「理研ビタミン（株）」製の「リケマール」（登録商標）が好適である。収容体２の一端側の融着部２ａを熱融着しない状態で、複数枚（例えば、３０〜４０枚）のウエットティッシュ４を収容体２に収容してから融着部２ａを熱融着する。
【００１９】
図１、図２に示すように、前記収容体２の上面の中央部には、ウエットティッシュ４を取り出すための開口部５が形成され、この開口部５を開閉可能に塞ぐ密封シール３が設けられ、密封シール３の内面側外周部には粘着層６が形成されており、全部のウエットティッシュ４を消費するまで密封シール３の開放と封鎖を多数回行うことができる。前記密封シール３の先端部には指で摘むための摘み片３ａが形成されている。
【００２０】
以上説明した包装ウエットティッシュ１の作用効果について説明する。
この包装ウエットティッシュ１では、光触媒液と水とエチルアルコールと界面活性剤が含浸されているウエットティッシュ４を収容体２から取り出した状態で、そのウエットティッシュ４に太陽光や蛍光灯などに含まれる紫外線が照射されると、チタニアの光触媒作用により、有機物分解作用、殺菌作用や除菌作用、親水作用が発揮される。
【００２１】
チタニアは、見かけ上は白色であるが実際は無色透明の粉末で、化学的に安定していて生体に無害であり、安価に入手でき、バンドギャップエネルギーが高く、紫外線を吸収して粉末の粒子毎に光励起し、電子−正孔対が発生し、酸化還元反応により活性酸素イオン（Ｏ--）と、水酸ラジカル（ＯＨ- ）が生成され、これらにより有機物や細菌類を分解するため、有機物分解作用、殺菌作用や除菌作用が発揮される。
【００２２】
一方、チタニアの親水作用は種々の文献に発表されて公知であるが、チタニアの光励起により発生した水酸基（ＯＨ- ）がチタニアが付着している物体の表面に化学吸着され、その表面に水分子が物理吸着されて表面を覆うため超親水作用が生じるようである。
【００２３】
このチタニアの親水作用による防曇機能が発揮されるため、ウエットティッシュ４でミラーやレンズや窓ガラスを拭き取ることで防曇でき、それらの表面に微粉末状のチタニアが残存するため防曇機能が１０〜１５日は持続する。ウエットティッシュ４にエチルアルコールが含浸されているため、エチルアルコールによる消毒作用も発揮され、生体の表面でのエチルアルコールの蒸発による清涼感、アルコール特有の香りも発揮される。
前記ウエットティッシュ４には、さらに生体に無害の界面活性剤を含浸させてあるため、手や顔、ミラーやガラスの表面の汚れを清潔に拭き取る清拭機能も得られる。
【００２４】
次に、前記実施例を部分的に変更する例について説明する。
［１］前記収容体２は、前記実施例の構造に限定されるものではなく、特許文献１に記載のような合成樹脂製の円筒形容器や、特許文献２に記載の直方体状の包装袋のような構造のものでもよく、また、合成樹脂製の直方体状容器のような構造のものでもよい。さらに、前記収容体２は、１，２枚程度の少数のウエットティッシュを収容する小形の偏平な収容体であってもよい。
【００２５】
［２］前記ウエットティッシュ４を製作する際に用いる前記ティッシュ処理溶液は、一例を示すものにすぎず、光触媒液とエチルアルコールと蒸留水と界面活性剤の比率は、前記の比率に限定されるものではない。例えば、光触媒液の比率は0.6 〜10.0 vol％の範囲であればよく、エチルアルコールの比率は60.0〜75.0 vol％の範囲であればよく、蒸留水の比率は10.0〜35.0 vol％の範囲であればよく、界面活性剤の比率は1.0 〜5.0 vol ％の範囲であればよい。尚、前記ティッシュ処理溶液に芳香剤を含ませておき、ウエットティッシュ4 に微量の芳香剤を含浸させてもよい。尚、前記実施例のエチルアルコールに代えて、生体に無害の種々のアルコールを採用してもよい。
【００２６】
［３］前記前記ティッシュ処理溶液の代わりに、アルコールと蒸留水にチタニアの微粉末を分散させた処理溶液も適用可能である。
【図面の簡単な説明】
【００２７】
【図１】包装ウエットティッシュの平面図である。
【図２】密封シールを部分的に剥がした包装ウエットティッシュの平面図である。
【符号の説明】
【００２８】
１        包装ウエットティッシュ
２        収容体
３        密封シール
４        ウエットティッシュ
【図１】
0003120352.tif 000003
【図２】
0003120352.tif 000004